(57)【特許請求の範囲】
【請求項１】
媒体を送る媒体給送手段と、
前記媒体給送手段を内部に備える筐体と、
前記媒体が載置される載置面を有し、前記媒体を載置したときに、少なくとも一部が前記筐体外に位置する媒体載置部材と、
他の通信端末との間で無線通信を行う無線通信用基板と、を備えた媒体給送装置であって、
前記媒体載置部材が、前記媒体の給送方向と交差する幅方向の両側縁をガイドする一対のエッジガイドを有し、
前記無線通信用基板が、前記媒体載置部材に設けられ、かつ、前記幅方向において前記一対のエッジガイドの間であって、前記給送方向において前記エッジガイドによるガイド領域内に設けられている、
ことを特徴とする媒体給送装置。
【請求項２】
請求項１に記載の媒体給送装置において、
前記エッジガイドの少なくとも一方が、当該エッジガイドの内側に、前記媒体載置部材の前記載置面上をスライド可能なスライド部を備え、
前記無線通信用基板が、前記スライド部に設けられている、
ことを特徴とする媒体給送装置。
【請求項３】
媒体を読み取る読取部と、
前記媒体を前記読取部に向けて給送する、請求項１または請求項２のいずれか一項に記載の媒体給送装置と、を備える、
ことを特徴とする画像読取装置。
【請求項４】
請求項３に記載の画像読取装置において、前記無線通信用基板として、近距離無線通信基板を備えている、
ことを特徴とする画像読取装置。
【請求項５】
請求項３に記載の画像読取装置において、前記無線通信用基板として、Ｗｉ−Ｆｉ基板を備えている、
ことを特徴とする画像読取装置。
【発明の詳細な説明】
【技術分野】
【０００１】
本発明は、媒体を給送する媒体給送装置、および媒体給送装置を備える画像読取装置に関する。
【背景技術】
【０００２】
画像読取装置の一例であるスキャナーにおいて、近距離無線通信（ＮＦＣ：Near
Field Communication）やＷｉ−Ｆｉ等の無線通信が行える様に構成されたものもある。  
また、スキャナーには、原稿の自動送り装置（ＡＤＦ（Auto Document
Feeder）とも呼ばれる）が媒体給送装置として設けられ、複数枚の原稿の自動送りと読み込みとを行える様に構成される場合がある。
【０００３】
例えば、特許文献１には、上部にＡＤＦを備え、近距離無線通信が行える様に構成された複合機が開示されている。  
尚、近距離無線通信とは、近接場型の無線通信であり、通信エリアは、およそ数センチ〜１メートル程度である。ユーザーはこの近距離無線通信を利用し、例えばスキャナーの設定や、携帯端末からスキャナーへの画像データの転送、カードに組み込まれたＩＣに記録された情報のスキャナーへの転送などが行える様になる。
【先行技術文献】
【特許文献】
【０００４】
【特許文献１】特開２０１５−５５９０２号公報
【発明の概要】
【発明が解決しようとする課題】
【０００５】
特許文献１において、無線通信を行うための通信部としてのＮＦＣモジュールは、前記ＡＤＦの内部に設けられている。このように、前記通信部が装置内部に設けられている場合、無線通信機能において指向性や通信障害が発生する場合があった。
【０００６】
上記問題点に鑑み、本発明の目的は、無線通信を行う際の指向性や通信障害を抑制し、画像読取装置におけるユーザーの使い勝手を向上させることができる媒体給送装置及び画像読取装置を提供することにある。
【課題を解決するための手段】
【０００７】
上記課題を解決するため、本発明の第１の態様に係る媒体給送装置は、媒体を送る媒体給送手段と、前記媒体給送手段を内部に備える筐体と、前記媒体が載置される載置面を有し、前記媒体を載置したときに、少なくとも一部が前記筐体外に位置する媒体載置部材と、他の通信端末との間で無線通信を行う無線通信用基板と、を備え、前記無線通信用基板が、前記媒体載置部材に設けられていることを特徴とする。
【０００８】
本態様によれば、前記無線通信用基板を、前記媒体を載置したときに、少なくとも一部が前記筐体外に位置する前記媒体載置部材に設けることにより、前記無線通信用基板と他の通信端末との間の無線通信を遮るような他の構成部材が少ない位置に配置することができ、前記無線通信用基板における無線通信の指向性を抑制することができる。  
また、前記他の通信端末が前記媒体載置部材に載置可能な媒体（例えば、無線通信用基板との間で無線通信可能なＩＣチップが内蔵されたカード等）である場合には、前記媒体を前記媒体載置部材にセットするだけで、前記媒体との間で無線通信を行うことができるので、ユーザーの使い勝手或いは利便性が向上する。
【０００９】
本発明の第２の態様に係る媒体給送装置は、第１の態様において、前記媒体載置部材が、前記媒体の給送方向と交差する幅方向の両側縁をガイドする一対のエッジガイドを備え、前記無線通信用基板が、前記幅方向において前記一対のエッジガイドの間であって前記給送方向において前記エッジガイドによるガイド領域内に設けられていることを特徴とする。
【００１０】
本態様によれば、前記無線通信用基板が、前記幅方向において前記一対のエッジガイドの間であって前記給送方向において前記エッジガイドによるガイド領域内に設けられているので、前記他の通信端末としての前記媒体を前記媒体載置部材にセットした際に、より確実に前記無線通信を行うことができる。
【００１１】
本発明の第３の態様に係る媒体給送装置は、第２の態様において、前記エッジガイドの少なくとも一方が、当該エッジガイドの内側に、前記媒体載置部材の前記載置面上をスライド可能なスライド部を備え、前記無線通信用基板が、前記スライド部に設けられていることを特徴とする。
【００１２】
本態様によれば、前記無線通信用基板が、前記エッジガイドの前記スライド部に設けられているので、前記他の通信端末としての前記媒体のサイズが異なる場合であっても、確実に前記無線通信を行うことができる。
【００１３】
本発明の第４の態様に係る画像読取装置は、媒体を読み取る読取部と、前記媒体を前記読取部に向けて給送する、請求項１から請求項３のいずれか一項に記載の媒体給送装置と、を備えることを特徴とする。
【００１４】
本態様によれば、媒体を読み取る読取部を備えた画像読取装置において、前記媒体を前記読取部に向けて給送する際に、第１の態様から第３の態様のいずれかと同様の作用効果が得られる。
【００１５】
本発明の第５の態様に係る画像読取装置は、第４の態様において、前記無線通信用基板として、近距離無線通信基板を備えていることを特徴とする。
【００１６】
本態様によれば、例えば、前記他の通信端末が前記媒体載置部材に載置可能であるとともに、近距離無線通信基板（以下、ＮＦＣ基板と称する場合がある）との間で無線通信可能なＩＣチップ等が内蔵された媒体である場合に、当該媒体を前記媒体載置部材にセットするだけで、前記ＩＣチップに記録された情報をＮＦＣ基板が得ることができる。  
加えて、前記媒体の画像読取装置における読取データと、前記ＮＦＣ基板が前記ＩＣチップから得た情報を紐付けして保存することが可能となる。
【００１７】
本発明の第６の態様に係る画像読取装置は、第４の態様において、前記無線通信用基板として、Ｗｉ−Ｆｉ基板を備えていることを特徴とする。
【００１８】
本態様によれば、前記無線通信用基板として、Ｗｉ−Ｆｉ基板を備えた画像読取装置において、第４の態様と同様の作用効果が得られる。
【図面の簡単な説明】
【００１９】
【図１】実施例１に係るスキャナーを示す外観斜視図。
【図２】実施例１に係るスキャナーにおいて開閉体を開き、排紙トレイを引き出した状態を示す斜視図。
【図３】実施例１に係るスキャナーにおける用紙搬送経路を示す側断面図。
【図４】実施例１に係る媒体載置部材の平面図。
【図５】実施例２に係る媒体載置部材の平面図。
【図６】実施例２に係るエッジガイドを示す斜視図。
【図７】実施例３に係るスキャナーを示す外観斜視図。
【発明を実施するための形態】
【００２０】
［実施例１］
まず、本発明の一実施例に係る媒体給送装置を備えた画像読取装置の概略について説明する。本実施例では画像読取装置の一例として、媒体の表面及び裏面の少なくとも一面を読み取り可能なドキュメントスキャナー（以下、単にスキャナー１と称する）を例に挙げる。  
図１は、実施例１に係るスキャナーを示す外観斜視図である。図２は、実施例１に係るスキャナーにおいて開閉体を開き、排紙トレイを引き出した状態を示す斜視図である。図３は、実施例１に係るスキャナーにおける用紙搬送経路を示す側断面図である。図４は、実施例１に係るスキャナーにおける媒体載置部材の平面図である。
【００２１】
＜スキャナーの概要＞
本発明に係る画像読取装置としてのスキャナー１（図１）は、「媒体」としての用紙Ｐを給送する媒体給送装置１０（図３）を備えている。  
スキャナー１は、下部ユニット２及び上部ユニット３によって構成される筐体７と、上部ユニット３の上面及び後述する給送口６（図２）を開閉する開閉体４と、によってその外観が構成されている。
【００２２】
また、スキャナー１は、図４に示すように他の通信端末との間で無線通信を行う「無線通信用基板３０」としての近距離無線通信基板３２（以下、ＮＦＣ基板３２と称する）と、Ｗｉ−Ｆｉ基板３１とを備えている。  
ＮＦＣ基板３２は、例えば、スキャナー１とユーザーの携帯端末との間で近距離無線通信を行い、前記携帯端末への情報発信や、前記携帯端末からスキャナー１の設定、画像データの転送、スキャンの実行などを行うことができる。また、各種情報を記録するＩＣチップからの前記各種情報の読み取り等を行うことができる。
【００２３】
媒体給送装置１０（図３）は、筐体７と、筐体７の内部に設けられる「媒体給送手段」としての送りローラー１３と、用紙Ｐを載置する載置面１１ａを有する媒体載置部材１１を備えている。媒体載置部材１１には、一対のエッジガイド１２、１２（図２、図４）が設けられている。また、ＮＦＣ基板３２及びＷｉ−Ｆｉ基板３１が設けられている。媒体給送装置１０の各構成部材について、以下に順次説明する。
【００２４】
尚、各図において示すＸ−Ｙ−Ｚ座標系はＸ方向が装置幅方向であり用紙幅方向、Ｙ方向が用紙搬送方向である。Ｚ方向はＹ方向と交差する方向であって、概ね搬送される用紙の面と直交する方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、スキャナー１において、媒体としての用紙Ｐは各図の＋Ｙ方向へ搬送される構成である。以下において、用紙Ｐが搬送されていく方向（＋Ｙ方向側）を「下流」といい、これと反対の方向（−Ｙ方向側）を「上流」という。
【００２５】
上部ユニット３は下部ユニット２に対して用紙搬送方向下流側を回動支点として回動可能に下部ユニット２に取り付けられている。上部ユニット３は、下部ユニット２に対して閉じて下部ユニット２とともに用紙Ｐの搬送経路を構成する閉状態（図２）と、下部ユニット２に対して装置前面側に回動して用紙Ｐの搬送経路を露呈させて用紙Ｐの紙詰まりの処理を容易に行うことができる開状態（図示省略）とを取り得る。
【００２６】
また、上部ユニット３の上部を開閉する開閉体４は、下部ユニット２の背面側の上部に対して回動可能に下部ユニット２に取り付けられており、開状態（図２）において、用紙Ｐが載置される媒体載置部材１１として機能する。  
すなわち、媒体載置部材１１としての開閉体４は、図１に示すように上部ユニット３の上部及び給送口６（図２、図３を参照）を覆う非給送状態と、図１の非給送状態から図２に示すように装置背面側に回動し、給送口６を開放するとともに開閉体４の内側面（載置面１１ａ）で給送される用紙Ｐを支持する媒体載置部材１１となる給送状態とを取り得る。
【００２７】
本実施例において、媒体載置部材１１の上流側には、補助ペーパーサポート１５（図２、図３）が設けられている。補助ペーパーサポート１５は、中空に形成された開閉体４に収納可能、且つ引き出し可能に構成されている。補助ペーパーサポート１５を引き出すことにより、媒体載置部材１１に載置された用紙Ｐの上流側まで支持することができるので、用紙Ｐの大きさ（長さ）が大きい（長い）場合でも用紙Ｐを安定して支持することができる。
【００２８】
媒体載置部材１１には、用紙Ｐの幅方向（Ｘ軸方向）の両側縁をガイドする一対のエッジガイド１２、１２（図２、図４）が設けられている。エッジガイド１２、１２は、用紙Ｐのサイズに応じてＸ軸方向にスライド移動可能に設けられている。  
より具体的には、エッジガイド１２、１２（図３、図４を参照）はその内側に、媒体載置部材１１の載置面１１ａ上をスライド可能なスライド部１７を備え、媒体載置部材１１の載置面１１ａにＸ軸方向に延設されたスライド溝１６に、スライド部１７の背面側（−Ｙ側）に設けられた凸部１７ａ（図３）がスライド溝１６にガイドされてＸ軸方向に移動する。
【００２９】
また、本実施例においてエッジガイド１２、１２は、一方のエッジガイド１２（例えば＋Ｘ側）のＸ移動に追従して、他方のエッジガイド１２（−Ｘ側）が相対する方向に移動するように構成されている。  
すなわち、媒体載置部材１１において、用紙Ｐは幅方向の中央に揃えられ、所謂、センター給紙方式で給紙されるように構成されている。
【００３０】
尚、媒体載置部材１１は下部ユニット２に設けられており、媒体載置部材１１の下流側（＋Ｙ側）は筐体７内に位置し、上流側（−Ｙ側）は筐体７外に位置している。そして、エッジガイド１２、１２は、媒体載置部材１１において筐体７外に位置する部位に設けられている。
【００３１】
＜スキャナーにおける用紙搬送経路について＞
次に、図３を参照して、スキャナー１における用紙搬送経路について説明する。尚、図３における符号Ｐ１で示す点線は用紙Ｐの搬送経路を示している。  
給送口６にセットされる用紙Ｐは、その先端側（下流側）が媒体載置部材１１（開状態の開閉体４）の載置面１１ａに支持されて載置される。
【００３２】
給送口６には、複数枚の用紙Ｐをセットすることができる。給送口６にセットされた複数枚の用紙Ｐは、媒体給送装置１０によって給送されて、後述する画像読取部２１に向けて送られる。本実施形態の媒体給送装置１０は、送りローラー１３と、送りローラー１３との間で用紙Ｐをニップして分離する分離ローラー１４を備えている。  
媒体載置部材１１に載置された用紙Ｐは、下部ユニット２に対して回転可能に設けられた送りローラー１３によりピックアップされて下流側（＋Ｙ方向側）に給送される。具体的には、用紙Ｐの載置面１１ａに対向する面に、送りローラー１３が接触しつつ回転することにより、用紙Ｐを下流側に向けて給送する。したがって、スキャナー１において複数枚の用紙Ｐを給送口６にセットした場合には、媒体載置部材１１の載置面１１ａ側の用紙Ｐから順に下流側に向けて給送される。  
尚、送りローラー１３は、用紙搬送面２９に対して一部が突出するように配置されている。
【００３３】
送りローラー１３の下流側には搬送ローラー対２０と、画像を読み取る「読取部」としての画像読取部２１と、排出ローラー対２２が設けられている。送りローラー１３及び分離ローラー１４によりニップされて下流側に給送された用紙Ｐは搬送ローラー対２０にニップされて、搬送ローラー対２０の下流側に位置する画像読取部２１に搬送される。
【００３４】
搬送ローラー対２０は下部ユニット２に設けられた搬送駆動ローラー２３と、上部ユニット３に設けられ、搬送駆動ローラー２３に対して従動回転する搬送従動ローラー２４を備えている。
【００３５】
画像読取部２１は、上部ユニット３側に設けられた上部画像読取センサー２５と、下部ユニット２側に設けられた下部画像読取センサー２６とを備えている。本実施形態において、上部画像読取センサー２５及び下部画像読取センサー２６は一例として密着型イメージセンサーモジュール（ＣＩＳＭ）として構成されている。
【００３６】
用紙Ｐは、画像読取部２１において用紙Ｐの表面及び裏面の少なくとも一方の面の画像を読み取られた後、画像読取部２１の下流側に位置する排出ローラー対２２にニップされて、下部ユニット２の装置前面側に設けられた排出口８から排出される。  
下部ユニット２には、排出口８から装置前面側に向けて引き出し可能に構成された排紙トレイ５が設けられている。排紙トレイ５は、下部ユニット２の底部に収納された状態（図１）と、装置前面側に引き出した状態（図２）とを取り得る。排紙トレイ５を引き出した状態において、排出口８から排出された用紙Ｐが排紙トレイ５上に積載される。
【００３７】
また、本実施形態において排出ローラー対２２は下部ユニット２に設けられた排出駆動ローラー２７と、上部ユニット３に設けられ、排出駆動ローラー２７に対して従動回転する排出従動ローラー２８を備えている。  
尚、本実施形態において送りローラー１３、搬送駆動ローラー２３及び排出駆動ローラー２７は、下部ユニット２内に設けられた少なくとも１つの駆動源（不図示）により回転駆動させられる。
【００３８】
＜媒体載置部材について＞
続いて、媒体給送装置１０を構成する媒体載置部材１１について、図４を参照して更に詳しく説明する。  
前述したように、本実施例においては、他の通信端末との間で無線通信を行うＮＦＣ基板３２及びＷｉ−Ｆｉ基板３１が、媒体載置部材１１に設けられている。より具体的には、ＮＦＣ基板３２及びＷｉ−Ｆｉ基板３１は、媒体載置部材１１の内部に設けられている。  
媒体載置部材１１（開閉体４）は、補助ペーパーサポート１５を収納可能且つ引き出し可能にするように中空に形成されており、その中空のスペースにＮＦＣ基板３２及びＷｉ−Ｆｉ基板３１が設けられている。Ｗｉ−Ｆｉ基板３１は、フレキシブルフラットケーブル３５を介して下部ユニット２に設けられるメイン基板３６（図３）に接続されている。  
尚、「無線通信用基板３０が媒体載置部材１１の内部に設けられている」とは、媒体載置部材１１に形成された中空のスペースに無線通信用基板３０が設けられている場合に限られず、媒体載置部材１１を構成する他の部材（例えばエッジガイド等）によって無線通信用基板３０が隠された状態になることを含むものとする。
【００３９】
ここで、メイン基板３６にフレキシブルフラットケーブル３５で接続されるＷｉ−Ｆｉ基板３１は、メイン基板３６に近い下部ユニット２に設けることも可能であるが、下部ユニット２の内部にはスキャナー１を構成する多くの構成部材が収容されており、また、下部ユニット２の上には上部ユニット３（下部ユニット２と同じく多くの構成部材が収容されている）が取り付けられているので、スキャナー１の前面側（＋Ｙ側）におけるＷｉ−Ｆｉ通信の感度が悪くなる場合がある。  
一方、ユーザーはスキャナー１の前面側から操作する場合が多く、前面側におけるＷｉ−Ｆｉ通信の感度は、より良好にする必要がある。
【００４０】
無線通信用基板３０としてのＷｉ−Ｆｉ基板３１を、少なくとも一部が筐体７外に位置する媒体載置部材１１に設けることにより、Ｗｉ−Ｆｉ基板３１と他の通信端末との間の無線通信を遮るような他の構成部材が少ない位置に無線通信用基板３０を配置することができる。以って、Ｗｉ−Ｆｉ基板３１における無線通信の指向性を抑制することができる。
【００４１】
また、無線通信用基板３０としてのＮＦＣ基板３２の近くに板金等の金属材料があると、近距離無線通信に対して障害を与える場合がある。ＮＦＣ基板３２が媒体載置部材１１の内部に設けることにより、周囲に他の構成部材自体が少ない位置にＮＦＣ基板３２を配置することができるので、ＮＦＣ基板３２における通信障害の虞を低減することができる。
【００４２】
更に、ＮＦＣ基板３２との間で無線通信を行う他の通信端末が、媒体載置部材１１に載置可能な媒体、例えば、ＩＣチップが内蔵されたカード等である場合には、前記カードを媒体載置部材１１にセットするだけで無線通信を行うことができるので、ユーザーの使い勝手或いは利便性の高いスキャナー１とすることができる。
【００４３】
尚、本実施例において媒体給送装置１０はセンター給紙方式であるので、ＮＦＣ基板３２は、用紙Ｐの幅方向（Ｘ軸方向）における中央部に設けられている。  
固定された一方のエッジガイド（例えば、−Ｘ側）に対して、他方（＋Ｘ側）のエッジガイドが移動する片寄せの給紙方式の場合には、ＮＦＣ基板３２は、固定された一方のエッジガイドの近傍に設けることが望ましい。  
Ｗｉ−Ｆｉ基板３１は、センター給紙方式及び片寄せ給紙方式の違いに関わらず、媒体載置部材１１の内部であればいずれの位置に配置されていてもよい。
【００４４】
また、ＮＦＣ基板３２は、用紙Ｐの幅方向において、一対のエッジガイド１２、１２の間（図４における符号３４で表す領域）であって用紙Ｐの給送方向においてエッジガイド１２、１２によるガイド領域（図４における符号３３で表す領域）内に設けられている。  
スキャナー１においては、ＮＦＣ基板３２との間で無線通信が可能な媒体を読み取る場合がある。そのような媒体の一例としては、ＩＣチップを備えたカード（以下、ＩＣカードと言う）が挙げられる。
【００４５】
ＮＦＣ基板３２が、一対のエッジガイド１２、１２の間の領域３４であって、用紙Ｐの給送方向においてエッジガイド１２、１２によるガイド領域３３に設けられていることにより、ＮＦＣ基板３２との間で無線通信を行う通信端末が、スキャナー１で読み取り可能な媒体（用紙Ｐ）である場合に、前記媒体を媒体載置部材１１にセットした際に、確実に前記無線通信を行うことができる。
【００４６】
このことによって、スキャナー１においてＩＣカードの外観をスキャンして読み込むと同時に、前記ＩＣカードのＩＣチップに記録された情報をＮＦＣ基板３２が得て、その情報をスキャナー１による読取データと紐付けして保存することが可能となる。
【００４７】
［実施例２］
実施例２では、図５及び図６に基づき、媒体給送装置における媒体載置部材の他の例について説明する。図５は、実施例２に係る媒体載置部材の平面図である。図６は、実施例２に係るエッジガイドを示す斜視図である。本実施例において実施例１と同一の構成については同一の符号を付し、その構成の説明は省略する。
【００４８】
実施例２においては、無線通信用基板３０としてのＮＦＣ基板３２が、媒体載置部材１１に設けられたエッジガイド１２（−Ｘ側）のスライド部１７に設けられている。  
より具体的には、エッジガイド１２（−Ｘ側）のスライド部１７の裏面（媒体載置部材１１に対向する面）にＮＦＣ基板３２が設けられ、媒体載置部材１１を図５のように平面視した際にＮＦＣ基板３２が隠れて見えないようになっている。
【００４９】
本実施例において、ＮＦＣ基板３２はスライド部１７に設けられているので、エッジガイド１２、１２を媒体載置部材１１にセットされる用紙Ｐのサイズに合わせて移動させたときに、ＮＦＣ基板３２の位置が移動する。  
尚、図５において、スキャナー１において読み取り可能な最大幅の用紙に対応した位置にあるエッジガイド１２、１２を実線で示し、用紙幅方向の内側に移動後のエッジガイド１２、１２を１点鎖線で示している。
【００５０】
ＮＦＣ基板３２が、エッジガイド１２のスライド部１７に設けられていることにより、ＮＦＣ基板３２との間で無線通信を行う他の通信端末が、スキャナー１によって読み取られる媒体（用紙Ｐ）であり、その媒体サイズが異なる場合であっても、確実にＮＦＣ基板３２との間で無線通信を行うことができる。
【００５１】
尚、ＮＦＣ基板３２は、＋Ｘ側のエッジガイド１２に設けることも可能である。  
また、一方のエッジガイド（例えば、−Ｘ側）の位置を固定し、他方（＋Ｘ側）のエッジガイドをスライド移動させる片寄せの給紙方式の場合には、移動するエッジガイドのスライド部にＮＦＣ基板３２を設けることができる。  
また、エッジガイド１２のスライド部１７に、ＮＦＣ基板３２以外の他の無線通信用基板３０を設けることも可能である。
【００５２】
［実施例３］
本発明に係る媒体給送装置は、例えば、図７に示すようなスキャナーに設けることも可能である。図７は、実施例３に係るスキャナーを示す外観斜視図である。  
スキャナー４０は、内部に画像読取部４４を備える装置本体４２と、「媒体給送装置」としてのオートドキュメントフィーダー（ＡＤＦ）４１（以下、ＡＤＦ４１）とを備えている。ＡＤＦ４１は、装置本体４２の上部に設けられた載置面４３に対して閉じた姿勢（図７）と、載置面１６を開放する姿勢（図示省略）とを切換え可能に構成されている。  
ＡＤＦ４１は、図７における装置本体４２の−Ｘ側に設けられた不図示のヒンジ部を介して装置本体４２に対して回動して開閉可能に接続されている。すなわち、ＡＤＦ４１は、＋Ｘ側の端部を自由端として装置本体４２に対して回動して開閉する。
【００５３】
ＡＤＦ４１は、「媒体載置部材」としての媒体支持トレイ４５と、「媒体給送手段」としての媒体搬送部４６と、媒体排出トレイ４７とを備えている。媒体搬送部４６は、ＡＤＦ４１が装置本体４２に対して閉じられている図７の状態において媒体支持トレイ４５に支持された媒体を搬送し、装置本体４２の上部に設けられた載置面４３において媒体の被読み取り面を画像読取部４４に読み取らせた後、媒体を媒体排出トレイ４７に向けて排出する。
【００５４】
媒体支持トレイ４５には、エッジガイド４８、４８が設けられている。本実施例においてもエッジガイド４８、４８は、一方のエッジガイド４８（例えば＋Ｘ側）のＸ移動に追従して、他方のエッジガイド４８（−Ｘ側）が相対する方向に移動するように構成されている。
【００５５】
スキャナー４０は、「無線通信用基板５０」としての近距離無線通信基板５２（以下、ＮＦＣ基板５２）と、Ｗｉ−Ｆｉ基板５１とを備えており、ＮＦＣ基板５２及びＷｉ−Ｆｉ基板５１は、媒体支持トレイ４５に設けられている。  
ＮＦＣ基板５２及びＷｉ−Ｆｉ基板５１は、実施例１と同様に、中空に構成された媒体支持トレイ４５の内部に設けることができる。また、媒体支持トレイ４５の裏面に設けることも可能である。
【００５６】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００５７】
１…スキャナー（画像読取装置）、２…下部ユニット、３…上部ユニット、
４…開閉体、５…排紙トレイ、６…給送口、７…筐体、
８…排出口、１０…媒体給送装置、１１…媒体載置部材、１１ａ…載置面、
１２…エッジガイド、１３…送りローラー（媒体給送手段）、１４…分離ローラー、
１５…補助ペーパーサポート、１６…スライド溝、１７…スライド部、
２０…搬送ローラー対、２１…画像読取部（読取部）、２２…排出ローラー対、
２３…搬送駆動ローラー、２４…搬送従動ローラー、２５…上部画像読取センサー、
２６…下部画像読取センサー、２７…排出駆動ローラー、２８…排出従動ローラー、
２９…用紙搬送面、３０…無線通信用基板、３１…Ｗｉ−Ｆｉ基板、
３２…近距離無線通信基板（ＮＦＣ基板）、３３…領域、３４…領域、
３５…フレキシブルフラットケーブル、３６…メイン基板、
４０…スキャナー（画像読取装置）、４１…オートドキュメントフィーダー（ＡＤＦ）、
４２…装置本体、４３…載置面、４４…画像読取部、
４５…媒体支持トレイ（媒体載置部材）、４６…媒体搬送部（媒体給送手段）、
４７…媒体排出トレイ、４８…エッジガイド、５０…無線通信用基板、
５１…Ｗｉ−Ｆｉ基板、５２…近距離無線通信基板（ＮＦＣ基板）、
Ｐ、Ｐ１…用紙
【図１】
0006705238.tif 000002
【図２】
0006705238.tif 000003
【図３】
0006705238.tif 000004
【図４】
0006705238.tif 000005
【図５】
0006705238.tif 000006
【図６】
0006705238.tif 000007
【図７】
0006705238.tif 000008